(57)【要約】【課題】  操作部の操作によって複数の照明器具を同じ状態に制御することができる照明制御システム、点灯システム、照明システム、及びプログラムを提供する。【解決手段】  照明制御システム２において、電力制御部２６２は、オフ操作が検出されると、複数の点灯装置１ａへの電力の供給を停止する。電力制御部２６２は、オフ操作が検出されてから第１タイミングまで、または第２タイミング以降にオン操作が検出されると、複数の点灯装置１ａへの電力の供給を開始する。電力制御部２６２は、第１タイミングと第２タイミングとの間にオン操作が検出されると、第２タイミング以降に複数の点灯装置１ａへの電力の供給を開始する。【選択図】図２
2019061802.tif 000002
【特許請求の範囲】
【請求項１】
複数の光源の点灯状態をそれぞれ調整する複数の点灯装置への電力供給を制御するための照明制御システムであって、
前記複数の点灯装置に電力を供給するためのオン操作及び前記複数の点灯装置への電力供給を遮断するためのオフ操作が行われたことを検出する操作検出部と、
前記操作検出部の検出結果に基づいて、前記複数の点灯装置への電力の供給を制御する電力制御部と、を備え、
前記電力制御部は、
前記オフ操作が検出されてから予め決められた閾値時間が経過したタイミングを第１タイミングとし、前記第１タイミングから予め決められた強制遮断時間が経過したタイミングを第２タイミングとし、
前記オフ操作が検出されると、前記複数の点灯装置への前記電力の供給を停止し、
前記オフ操作が検出されてから前記第１タイミングまで、または前記第２タイミング以降に前記オン操作が検出されると、前記複数の点灯装置への前記電力の供給を開始し、
前記第１タイミングと前記第２タイミングとの間に前記オン操作が検出されると、前記第２タイミング以降に前記複数の点灯装置への前記電力の供給を開始する
照明制御システム。
【請求項２】
前記複数の点灯装置のうち少なくとも２つの点灯装置は、前記電力の供給が停止されてからの経過時間である電力遮断時間をそれぞれ測定し、前記電力遮断時間の測定値が予め決められた基準時間に達する前に前記電力の供給が開始されれば、前記電力の供給が開始されたときの前記点灯状態を、前記電力の供給が停止される前の前記点灯状態から変化させるようにそれぞれ調整し、前記電力遮断時間の測定値が前記基準時間に達した後に前記電力の供給が開始されれば、前記電力の供給が開始されたときの前記点灯状態を、前記電力の供給が停止される前の前記点灯状態と同じになるようにそれぞれ調整しており、
前記電力制御部における前記閾値時間及び前記強制遮断時間は、
前記少なくとも２つの点灯装置のそれぞれによる前記電力遮断時間の測定値のバラツキに対応する第１補正時間を前記閾値時間に加算した値が、前記少なくとも２つの点灯装置のそれぞれにおける前記基準時間のバラツキに対応する第２補正時間を前記基準時間から減算した値より小さく、前記閾値時間と前記強制遮断時間との加算値から前記第１補正時間を減算した値が、前記基準時間に前記第２補正時間を加算した値より大きくなるように、それぞれ設定されている
請求項１記載の照明制御システム。
【請求項３】
前記電力制御部は、前記電力の電圧の波形を変化させることによって、前記複数の点灯装置に前記点灯状態に関する制御内容を指示する請求項１または２記載の照明制御システム。
【請求項４】
前記電力は交流電力であり、
前記複数の点灯装置は、前記電力の交流電圧の導通角に基づいて前記光源の点灯状態を調整しており、
前記電力制御部は、前記導通角を前記制御内容に対応する値に制御する
請求項３記載の照明制御システム。
【請求項５】
前記複数の点灯装置へ前記電力を供給する電路に設けられたスイッチ素子をさらに備え、
前記電力制御部は、前記スイッチ素子をオンオフすることで前記導通角を制御する
請求項４記載の照明制御システム。
【請求項６】
請求項１乃至５のいずれか一項に記載の照明制御システムと、
前記複数の光源の点灯状態をそれぞれ調整する複数の点灯装置と、を備える
点灯システム。
【請求項７】
請求項１記載の照明制御システムと、
前記複数の光源の点灯状態をそれぞれ調整する複数の点灯装置と、を備え、
前記複数の点灯装置のうち少なくとも２つの点灯装置は、
前記電力の供給が停止されてからの経過時間である電力遮断時間をそれぞれ測定し、前記電力遮断時間の測定値が予め決められた基準時間に達する前に前記電力の供給が開始されれば、前記電力の供給が開始されたときの前記点灯状態を、前記電力の供給が停止される前の前記点灯状態から変化させるようにそれぞれ調整し、前記電力遮断時間の測定値が前記基準時間に達した後に前記電力の供給が開始されれば、前記電力の供給が開始されたときの前記点灯状態を、前記電力の供給が停止される前の前記点灯状態と同じになるようにそれぞれ調整しており、
前記電力制御部における前記閾値時間及び前記強制遮断時間は、
前記少なくとも２つの点灯装置のそれぞれによる前記電力遮断時間の測定値のバラツキに対応する第１補正時間を前記閾値時間に加算した値が、前記少なくとも２つの点灯装置のそれぞれにおける前記基準時間のバラツキに対応する第２補正時間を前記基準時間から減算した値より小さく、前記閾値時間と前記強制遮断時間との加算値から前記第１補正時間を減算した値が、前記基準時間に前記第２補正時間を加算した値より大きくなるように、それぞれ設定されている
点灯システム。
【請求項８】
請求項６または７記載の点灯システムと、
前記複数の光源と、を備える
照明システム。
【請求項９】
コンピュータシステムに、
複数の光源の点灯状態をそれぞれ調整する複数の点灯装置に電力を供給するためのオン操作、及び前記複数の点灯装置への電力供給を遮断するためのオフ操作が行われたことを検出する操作検出ステップと、
前記操作検出ステップの検出結果に基づいて、前記複数の点灯装置への電力の供給を制御する電力制御ステップと、を実行させ、
前記電力制御ステップは、
前記オフ操作が検出されてから予め決められた閾値時間が経過したタイミングを第１タイミングとし、前記第１タイミングから予め決められた強制遮断時間が経過したタイミングを第２タイミングとし、
前記オフ操作が検出されると、前記複数の点灯装置への前記電力の供給を停止し、
前記オフ操作が検出されてから前記第１タイミングまで、または前記第２タイミング以降に前記オン操作が検出されると、前記複数の点灯装置への前記電力の供給を開始し、
前記第１タイミングと前記第２タイミングとの間に前記オン操作が検出されると、前記第２タイミング以降に前記複数の点灯装置への前記電力の供給を開始する
プログラム。
【発明の詳細な説明】
【技術分野】
【０００１】
本発明は、一般に、照明制御システム、点灯システム、照明システム、及びプログラムに関する。
【背景技術】
【０００２】
従来、壁に設置された照明スイッチ（操作部）を使用して、照明器具の点灯状態を切り替える照明システムがある。
【０００３】
例えば、特許文献１の照明器具（従来の照明器具）は、操作部によってオンオフするスイッチを介して交流電源に接続されている。そして、照明器具は、操作部のプルレス操作（オン状態のスイッチをオフした後に短時間でオンする操作）がなされたか否かを判定し、プルレス操作がなされたと判定した場合は、このプルレス操作に応じた調色制御を行う。
【０００４】
具体的に、従来の照明器具は、スイッチがオフしてからオンするまでの遮断時間の計時を開始する。そして、照明器具は、遮断時間が閾値未満であるときにスイッチが再びオンすれば、プルレス操作であると判断して、調色状態を切り替える。また、照明器具は、遮断時間が閾値に達してもスイッチが再びオンされなければ（すなわち、遮断時間が閾値以上になれば）、通常の消灯操作であると判断して、スイッチが再びオンした場合には前回と同じ調色状態に制御する。すなわち、照明器具は、プルレス操作が行われる毎に調色状態を切り替える。
【先行技術文献】
【特許文献】
【０００５】
【特許文献１】特開２０１５−１３３２４９号公報
【発明の概要】
【発明が解決しようとする課題】
【０００６】
しかしながら、複数の照明器具が同じスイッチに接続している場合、複数の照明器具のそれぞれが有する電気回路の部品バラツキなどによって、複数の照明器具のそれぞれが計時する遮断時間はばらついてしまう。
【０００７】
この結果、上述の遮断時間が閾値に近いときにスイッチが再びオンすると、複数の照明器具には、遮断時間は閾値以上であると判断する照明器具と、遮断時間は閾値未満であると判断する照明器具とが混在する可能性がある。すなわち、複数の照明器具には、調色状態を切り替えた照明器具と、調色状態を切り替えていない照明器具とが混在してしまう。
【０００８】
本発明の目的とするところは、操作部の操作によって複数の照明器具を同じ状態に制御することができる照明制御システム、点灯システム、照明システム、及びプログラムを提供することにある。
【課題を解決するための手段】
【０００９】
本発明の一態様に係る照明制御システムは、複数の光源の点灯状態をそれぞれ調整する複数の点灯装置への電力供給を制御するための照明制御システムである。前記照明制御システムは、操作検出部と、電力制御部と、を備える。前記操作検出部は、前記複数の点灯装置に電力を供給するためのオン操作及び前記複数の点灯装置への電力供給を遮断するためのオフ操作が行われたことを検出する。前記電力制御部は、前記操作検出部の検出結果に基づいて、前記複数の点灯装置への電力の供給を制御する。そして、前記電力制御部は、前記オフ操作が検出されてから予め決められた閾値時間が経過したタイミングを第１タイミングとし、前記第１タイミングから予め決められた強制遮断時間が経過したタイミングを第２タイミングとする。前記電力制御部は、前記オフ操作が検出されると、前記複数の点灯装置への前記電力の供給を停止する。前記電力制御部は、前記オフ操作が検出されてから前記第１タイミングまで、または前記第２タイミング以降に前記オン操作が検出されると、前記複数の点灯装置への前記電力の供給を開始する。前記電力制御部は、前記第１タイミングと前記第２タイミングとの間に前記オン操作が検出されると、前記第２タイミング以降に前記複数の点灯装置への前記電力の供給を開始する。
【００１０】
本発明の一態様に係る点灯システムは、上述の照明制御システムと、前記複数の光源の点灯状態をそれぞれ調整する複数の点灯装置と、を備える。
【００１１】
本発明の一態様に係る点灯システムは、上述の照明制御システムと、前記複数の光源の点灯状態をそれぞれ調整する複数の点灯装置と、を備える。前記複数の点灯装置のうち少なくとも２つの点灯装置は、前記電力の供給が停止されてからの経過時間である電力遮断時間をそれぞれ測定する。前記複数の点灯装置は、前記電力遮断時間の測定値が予め決められた基準時間に達する前に前記電力の供給が開始されれば、前記電力の供給が開始されたときの前記点灯状態を、前記電力の供給が停止される前の前記点灯状態から変化させるようにそれぞれ調整する。前記複数の点灯装置は、前記電力遮断時間の測定値が前記基準時間に達した後に前記電力の供給が開始されれば、前記電力の供給が開始されたときの前記点灯状態を、前記電力の供給が停止される前の前記点灯状態と同じになるようにそれぞれ調整している。そして、前記電力制御部における前記閾値時間及び前記強制遮断時間は、以下のようにそれぞれ設定される。前記少なくとも２つの点灯装置のそれぞれによる前記電力遮断時間の測定値のバラツキに対応する第１補正時間を前記閾値時間に加算した値が、前記少なくとも２つの点灯装置のそれぞれにおける前記基準時間のバラツキに対応する第２補正時間を前記基準時間から減算した値より小さくなる。さらに、前記閾値時間と前記強制遮断時間との加算値から前記第１補正時間を減算した値が、前記基準時間に前記第２補正時間を加算した値より大きくなる。
【００１２】
本発明の一態様に係る照明システムは、上述の点灯システムと、前記複数の光源と、を備える。
【００１３】
本発明の一態様に係るプログラムは、コンピュータシステムに、操作検出ステップと、電力制御ステップと、を実行させる。前記操作検出ステップは、複数の光源の点灯状態をそれぞれ調整する複数の点灯装置に電力を供給するためのオン操作、及び前記複数の点灯装置への電力供給を遮断するためのオフ操作が行われたことを検出する。前記電力制御ステップは、前記操作検出ステップの検出結果に基づいて、前記複数の点灯装置への電力の供給を制御する。そして、前記電力制御ステップは、前記オフ操作が検出されてから予め決められた閾値時間が経過したタイミングを第１タイミングとし、前記第１タイミングから予め決められた強制遮断時間が経過したタイミングを第２タイミングとする。前記電力制御ステップは、前記オフ操作が検出されると、前記複数の点灯装置への前記電力の供給を停止する。前記電力制御ステップは、前記オフ操作が検出されてから前記第１タイミングまで、または前記第２タイミング以降に前記オン操作が検出されると、前記複数の点灯装置への前記電力の供給を開始する。前記電力制御ステップは、前記第１タイミングと前記第２タイミングとの間に前記オン操作が検出されると、前記第２タイミング以降に前記複数の点灯装置への前記電力の供給を開始する。
【発明の効果】
【００１４】
以上説明したように、本発明では、操作部の操作によって複数の照明器具を同じ状態に制御することができるという効果がある。
【図面の簡単な説明】
【００１５】
【図１】図１は、本発明の実施形態に係る照明システムを示すブロック図である。
【図２】図２は、同上の照明制御システムを示す回路図である。
【図３】図３は、同上の照明制御システムを示す正面図である。
【図４】図４は、同上の照明器具を示すブロック図である。
【図５】図５は、同上の照明制御システムの第１動作を示す図である。
【図６】図６は、同上の照明制御システムの第２動作を示す図である。
【図７】図７は、同上の照明制御システムの第３動作を示す図である。
【図８】図８は、同上の照明制御システムの第４動作を示す図である。
【図９】図９は、同上の閾値時間及び強制遮断時間と、電力遮断時間の測定値及び基準時間との関係を示す図である。
【図１０】図１０は、同上の照明制御システムの動作を示すフローチャートである。
【発明を実施するための形態】
【００１６】
以下の実施形態は、一般に、照明制御システム、点灯システム、照明システム、及びプログラムに関する。より詳細には、複数の照明器具を制御する照明制御システム、点灯システム、照明システム、及びプログラムに関する。
【００１７】
そして、本実施形態の照明制御システム、点灯システム、及び照明システムは、主に、オフィス、工場、店舗などで用いられる。また、本実施形態の照明制御システム、点灯システム、及び照明システムは、戸建住宅、または集合住宅の住戸で用いられることも可能である。
【００１８】
以下に実施形態を図面に基づいて説明する。
【００１９】
実施形態１の照明システムＡ１は、図１に示すように、複数の照明器具１と、照明制御システム２とを備える。
【００２０】
照明システムＡ１では、複数の照明器具１が並列接続しており、複数の照明器具１の並列回路と照明制御システム２との直列回路が、商用電源９の両端間に接続している。
【００２１】
本実施形態の照明制御システム２は、商用電源９の交流電圧を位相制御して、複数の照明器具１のそれぞれに供給する調光器である。照明制御システム２は、商用電源９の交流電圧Ｖａの導通角を調整することによって、照明器具１の点灯状態に関する制御内容を照明器具１に指示することができる。本実施形態では、照明器具１の点灯状態に関する制御内容を調光レベルとしており、照明制御システム２は、商用電源９の交流電圧Ｖａの導通角を調整することによって、照明器具１を調光することができる。
【００２２】
照明制御システム２は、図２に示すように、商用電源９と照明器具１との直列回路に対して直列に接続される。照明制御システム２は、入力部２１、フィルタ２２、主開閉回路２３、整流回路２４、電源回路２５、制御回路２６、周波数検出回路２７、補助開閉回路２８、スイッチ２９１、調光設定回路２９２を備える。
【００２３】
入力部２１は、一対の接続端子２１１，２１２を有しており、接続端子２１１は商用電源９の一端に接続し、接続端子２１２は、照明器具１を介して商用電源９の他端に接続している。
【００２４】
入力部２１は、スイッチ２９１を介してフィルタ２２に接続している。具体的に、接続端子２１１はフィルタ２２に接続し、接続端子２１２はスイッチ２９１を介してフィルタ２２に接続している。スイッチ２９１は、ユーザの操作によって接続端子２１２とフィルタ２２との間の電路を導通、遮断する。フィルタ２２は、例えばノイズ除去用のインダクタ及びコンデンサ、サージアブソーバを有しており、不要な周波数成分（例えば高周波ノイズ）を減衰させる。
【００２５】
主開閉回路２３は、主スイッチ素子としてトライアック２３１を有しており、トライアック２３１は、フィルタ２２及びスイッチ２９１を介して一対の接続端子２１１，２１２の間に接続している。
【００２６】
また、一対の接続端子２１１，２１２の間には整流回路２４が接続されている。整流回路２４は、一対の接続端子２１１，２１２の間に印加された交流電圧Ｖａを全波整流し、直流の整流電圧（全波整流電圧）を出力する。
【００２７】
整流回路２４の出力端間には、この照明制御システム２の内部電力を確保するための電源回路２５が接続されている。電源回路２５は、ダーリントン接続されたトランジスタ素子２５１，２５２と、トランジスタ素子２５２のベースに接続されたツェナダイオード２５３及び抵抗２５４などで構成された定電圧回路を備える。さらに、電源回路２５は、制御回路２６に直流の動作電力を供給するためのリニアレギュレータ（三端子レギュレータなど）２５５及びバッファコンデンサ２５６などを備える。
【００２８】
スイッチ２９１がオンされると、整流回路２４により整流された整流電圧が電源回路２５に入力される。電源回路２５では、定電圧回路が直流電圧をバッファコンデンサ２５６に出力する。リニアレギュレータ２５５は、バッファコンデンサ２５６の電圧を所定電圧（例えば、３Ｖ）に降圧し、降圧した電圧をバッファコンデンサ２５７に出力する。バッファコンデンサ２５７は、制御回路２６へ動作電力を供給する。ここで、抵抗２５４の抵抗値を、トランジスタ素子２５２が動作するために必要な電流が流れる程度に高い値とすれば、ツェナダイオード２５３を介してグランドに流れる電流値を低く抑えることができ、電力損失の低減を図ることができる。
【００２９】
制御回路２６は、プロセッサ及びメモリを主構成とするコンピュータシステムを備えており、リニアレギュレータ２５５から供給される動作電力によって動作する。
【００３０】
制御回路２６には、ユーザによって操作される可変抵抗器で構成された調光設定回路２９２が接続している。調光設定回路２９２は、ユーザ操作によって可変抵抗器の抵抗値が変化し、可変抵抗器の抵抗値は、指示する調光レベルに対応する値に設定される。
【００３１】
また、整流回路２４の出力端間には、補助開閉回路２８が接続している。補助開閉回路２８は、主開閉回路２３のトライアック２３１がオフしているときに照明器具１に電流（電力）を供給するために設けられている。補助開閉回路２８は、補助スイッチ素子としてサイリスタ２８１を備えており、サイリスタ２８１が整流回路２４の出力端間に接続している。
【００３２】
さらに、整流回路２４の出力端間には、周波数検出回路２７が接続している。周波数検出回路２７は、商用電源９の周波数（商用周波数）及び交流電圧Ｖａのゼロクロス点を検出するために設けられており、周波数検出回路２７は、周波数検出信号を制御回路２６に出力する。
【００３３】
周波数検出回路２７は、トランジスタ素子２７１を有しており、整流回路２４から出力された整流電圧がトランジスタ素子２７１のベースに入力されるように構成されている。そして、トランジスタ素子２７１のコレクタ−エミッタ間電圧が、周波数検出信号として制御回路２６へ出力される。周波数検出信号は、商用周波数（５０Ｈｚまたは６０Ｈｚ）の倍の周波数で変化する電圧信号である。
【００３４】
制御回路２６は、周波数検出信号に基づいて、商用周波数、及び交流電圧Ｖａのゼロクロス点を検出する。そして、制御回路２６は、検出した商用周波数及びゼロクロス点などに基づいて、サイリスタ２８１のゲートにゲート駆動信号を出力する。
【００３５】
具体的に、制御回路２６は、調光設定回路２９２の可変抵抗器に発生する電圧値に基づいて、交流電圧Ｖａの半波毎にサイリスタ２８１をオンする位相角（オン位相角）を決定する。制御回路２６は、交流電圧Ｖａのゼロクロス点からオン位相角が経過したタイミングでゲート駆動信号の電圧を立ち上げて、サイリスタ２８１をオンさせる。そして、制御回路２６は、交流電圧Ｖａのゼロクロス点より所定時間前（例えば１ｍｓ前）に、ゲート駆動信号の電圧を立ち下げる。
【００３６】
そして、交流電圧Ｖａの半波毎にサイリスタ２８１がオンしてからオフするまでの期間を導通角と称す。すなわち、制御回路２６は、調光設定回路２９２の抵抗値に基づいて、交流電圧Ｖａの半波毎の導通角を決定している。サイリスタ２８１がオンするオン位相角は、調光レベルが高いほど進み、調光レベルが低いほど遅れる。すなわち、導通角は、調光レベルが高いほど大きくなり、調光レベルが低いほど小さくなる。
【００３７】
以下、照明制御システム２の具体的な動作について説明する。
【００３８】
スイッチ２９１のオフ状態が継続すると、バッファコンデンサ２５７の電荷は放電されており、制御回路２６に動作電力が供給されず、制御回路２６は動作していない。そして、スイッチ２９１がオンすると、商用電源９から照明制御システム２に交流電力が供給される。したがって、電源回路２５から制御回路２６に動作電力が供給され、制御回路２６が起動する。また、周波数検出回路２７から制御回路２６に周波数検出信号が出力されるので、制御回路２６は、商用周波数及びゼロクロス点を検出できる。そして、制御回路２６は、調光設定回路２９２の抵抗値に基づく導通角となるように、サイリスタ２８１のゲートにゲート駆動信号を出力する。
【００３９】
ゲート駆動信号の電圧が立ち上がるとサイリスタ２８１がオンして、サイリスタ２８１を介してトライアック２３１のゲートに駆動電流が流れ、トライアック２３１もオンする。トライアック２３１がオンすると、整流回路２４には電流がほとんど流れず、整流回路２４から電源回路２５に電力がほとんど供給されなくなる。整流回路２４から電源回路２５に電力が供給されなくなると、バッファコンデンサ２５６に充電されている電荷によって、制御回路２６の動作電力が確保される。
【００４０】
そして、トライアック２３１がオンすると、商用電源９と照明器具１との間の電路が導通し、照明器具１に交流電圧Ｖａが印加される。そして、制御回路２６は、ゼロクロス点より所定時間前にゲート駆動信号の電圧を立ち下げる。ゲート駆動信号の電圧が立ち下がって、サイリスタ２８１のアノード電流がサイリスタ２８１の保持電流以下になると、サイリスタ２８１は自己消弧してオフする。サイリスタ２８１がオフすると、トライアック２３１のゲートに駆動電流が供給されなくなり、トライアック２３１のアノード電流がトライアック２３１の保持電流以下になると、トライアック２３１は自己消弧してオフする。トライアック２３１がオフすると、商用電源９と照明器具１との間の電路が遮断される。
【００４１】
トライアック２３１がオフすると、整流回路２４から電源回路２５に電力が供給される。したがって、制御回路２６は、周波数検出回路２７からの周波数検出信号に基づいて交流電圧Ｖａの次のゼロクロス点を検出し、検出したゼロクロス点を基準として、ゲート駆動信号の電圧を立ち上げる次のオン位相角を決定することができる。
【００４２】
上述のように、照明制御システム２は、調光設定回路２９２によって設定された調光レベルに対応する導通角になるように、交流電圧Ｖａを位相制御する。そして、照明器具１には、照明制御システム２によって位相制御された交流電圧Ｖａが印加される。
【００４３】
図３は、照明制御システム２の外観を示す。本実施形態の照明制御システム２は、位相制御式の調光器２０で構成されており、点灯ボタン２ａ（操作部）、調光ダイアル２ｂを調光器２０の前面に備えている。
【００４４】
点灯ボタン２ａは、ユーザが照明器具１を点灯させるとき、及び照明器具１を消灯させるときに押操作される。そして、点灯ボタン２ａの押操作によってスイッチ２９１のオンオフが交互に切り換わる。スイッチ２９１をオンさせるための点灯ボタン２ａの押操作をオン操作と称し、スイッチ２９１をオフさせるための点灯ボタン２ａの押操作をオフ操作と称す。そして、スイッチ２９１がオン状態になることによって照明器具１が点灯し、スイッチ２９１がオフ状態になることによって照明器具１が消灯する。
【００４５】
また、調光ダイアル２ｂはユーザが調光レベルを設定するときに回転操作される。ユーザは、調光レベルを上げるときに調光ダイアル２ｂを時計回りに回転させ、調光レベルを下げるときに調光ダイアル２ｂを反時計回りに回転させる。調光設定回路２９２では、調光ダイアル２ｂの回転によって可変抵抗器の抵抗値が変化する。
【００４６】
なお、照明制御システム２が点灯ボタン２ａ、調光ダイアル２ｂ、スイッチ２９１、及び調光設定回路２９２を備えることは必須ではない。例えば、点灯ボタン２ａ、調光ダイアル２ｂ、スイッチ２９１、及び調光設定回路２９２は、照明制御システム２と異なる１つ以上のシステム（別装置）であってもよい。また、点灯ボタン２ａの変位によってスイッチ２９１が機械的にオンオフする構成、点灯ボタン２ａから操作信号を受けたコントローラがスイッチ２９１をオンオフ制御する構成のいずれでもよい。
【００４７】
また、照明制御システム２がスイッチ２９１を備えていなくてもよい。この場合、点灯ボタン２ａは、制御回路２６に対してオン操作及びオフ操作の発生を通知する。そして、制御回路２６は、点灯ボタン２ａのオン操作及びオフ操作に応じて、補助開閉回路２８及び主開閉回路２３の開閉制御を行う。
【００４８】
次に、照明器具１について説明する。照明器具１は、調光及び調色が可能な照明器具であり、図４に示すように、点灯装置１ａ、光源１ｂを備える。なお、図１に示すように、点灯システムＢ１は、照明制御システム２、点灯装置１ａを備えている。
【００４９】
点灯装置１ａは、入力部１１、整流回路１２、直流電源回路１３、２つの定電流回路１４、制御回路１５、第１信号生成部１６、第２信号生成部１７、制御電源１８を備える。
【００５０】
入力部１１は、例えばコネクタ、端子台、または栓刃などで構成されており、電力供給路との電気的及び機械的な接続を着脱自在に構成されている。電力供給路には、商用電源９から照明制御システム２を介して電力が供給されている。すなわち、入力部１１には、照明制御システム２によって位相制御された交流電圧Ｖａが印加される。なお、電力供給路は、例えば電線ケーブル、給電ダクト、導体バーなどのいずれかで構成される。
【００５１】
整流回路１２は、ダイオードブリッジなどを有する全波整流回路であり、入力部１１に印加されている交流電圧を全波整流して、整流電圧を出力する。さらに、整流回路１２の前段に、フィルタ回路を有していてもよい。フィルタ回路は、例えばノイズ除去用のインダクタ及びコンデンサ、サージアブソーバを有しており、不要な周波数成分（例えば高周波ノイズ）を減衰させる。
【００５２】
直流電源回路１３は、整流回路１２から整流電圧を入力され、整流電圧を平滑した直流電圧を出力する。
【００５３】
２つの定電流回路１４は、半導体スイッチング素子を有するＤＣＤＣコンバータ１４ａ（スイッチングコンバータ）と、ドライブ回路１４ｂとをそれぞれ備える。ＤＣＤＣコンバータ１４ａは、直流電源回路１３が出力する直流電圧を入力されて、光源１ｂに直流の負荷電力を供給する。例えば、ＤＣＤＣコンバータ１４ａは、非絶縁型のフライバックコンバータ、またはＬＬＣ共振コンバータなどを有する。ドライブ回路１４ｂは、ＤＣＤＣコンバータ１４ａの半導体スイッチング素子をオンオフ駆動するための回路である。なお、定電流回路１４は、力率改善機能を有することが好ましい。
【００５４】
光源１ｂは、光源モジュール１０１、１０２を有する。光源モジュール１０１は、第１の発光色を有する光源である。本実施形態において、光源モジュール１０１は、２０００Ｋの色温度の光を出力する複数のＬＥＤを具備している。光源モジュール１０２は、光源モジュール１０１とは異なる第２の発光色を有する光源である。本実施形態において、光源モジュール１０２は、８０００Ｋの色温度の光を出力する複数のＬＥＤを具備する。なお、光源モジュール１０１が有する複数のＬＥＤは、直列接続、または直列接続及び並列接続されている。また、光源モジュール１０２が有する複数のＬＥＤは、直列接続、または直列接続及び並列接続されている。
【００５５】
光源１ｂが発する光は、光源モジュール１０１が発する光と光源モジュール１０２が発する光との混色光になり、光源モジュール１０１，１０２の各光量が調整されることによって、混色光の調光レベル及び調色状態が調整される。
【００５６】
そして、２つの定電流回路１４のうち一方は、光源モジュール１０１へ負荷電流を供給する定電流回路１４１であり、他方は、光源モジュール１０２へ負荷電流を供給する定電流回路１４２である。
【００５７】
第１信号生成部１６は、ＰＷＭ（Pulse Width Modulation）回路１６１、及びＲＣ回路１６２を備える。
【００５８】
ＰＷＭ回路１６１は、整流回路１２が出力する整流電圧の波形に基づいて、ＰＷＭ信号を生成する回路である。ＰＷＭ回路１６１は、整流電圧と判定基準値とを比較し、比較結果に基づいて生成したＰＷＭ信号を出力する。ここで、ＰＷＭ信号は、照明制御システム２によって位相制御された交流電圧に同期したパルス信号であり、ＰＷＭ信号のデューティ比が導通角の大きさに対応する。
【００５９】
ＲＣ回路１６２は、抵抗及びコンデンサを有する積分回路であり、ＰＷＭ信号を積分した第１制御信号を制御回路１５に出力する。第１制御信号は直流の電圧信号であり、第１制御信号の電圧値が導通角の大きさに対応する。すなわち、第１制御信号は、照明制御システム２によって制御された交流電圧Ｖａの導通角に関する情報（導通角情報）を含む。
【００６０】
第２信号生成部１７は、複数の抵抗を有する分圧回路である。そして、第２信号生成部１７は、整流回路１２が出力する整流電圧を分圧した電圧を第２制御信号として、制御回路１５へ出力する。第２制御信号は、照明制御システム２によって照明器具１への電力供給が遮断された時間である電力遮断時間に関する情報（電力遮断時間情報）を含む。
【００６１】
制御回路１５は、プロセッサ及びメモリを主構成とするコンピュータシステムを備えており、第１制御信号及び第２制御信号に基づいて、定電流回路１４１，１４２の各ドライブ回路１４ｂにスイッチング制御信号を出力する。各ドライブ回路１４ｂは、スイッチング制御信号に基づいてＤＣＤＣコンバータ１４ａの半導体スイッチング素子をオンオフ駆動する。
【００６２】
すなわち、制御回路１５は、第１制御信号及び第２制御信号に基づいて、光源モジュール１０１，１０２へ供給する各負荷電流を制御することで、光源１ｂの調光及び調色を行うことができる。本実施形態において、制御回路１５は、第１制御信号の導通角情報に基づいて光源１ｂを調光制御し、第２制御信号の電力遮断時間情報に基づいて光源１ｂを調色制御する。
【００６３】
制御電源１８は、直流電源回路１３が出力する直流電圧を入力され、直流の制御電圧を制御回路１５に出力する。制御回路１５は、制御電圧によって動作する。
【００６４】
次に、照明制御システム２による照明器具１の調光制御及び調色制御について説明する。
【００６５】
スイッチ２９１がオン状態であるとき、複数の照明器具１のそれぞれの入力部１１に位相制御された交流電圧Ｖａが印加され、商用電源９から複数の照明器具１のそれぞれに交流電力が供給される。一方、スイッチ２９１がオフ状態であるとき、複数の照明器具１のそれぞれの入力部１１には位相制御された交流電圧Ｖａが印加されず、商用電源９から複数の照明器具１のそれぞれに交流電力が供給されない。
【００６６】
そして、スイッチ２９１がオン状態であるとき、複数の照明器具１のそれぞれでは、制御回路１５が、第１制御信号及び第２制御信号に基づいて調光制御及び調色制御を行う。すなわち、制御回路１５は、第１制御信号及び第２制御信号に基づいて、定電流回路１４１，１４２が出力する各負荷電流を制御することで、光源１ｂが発する混色光の調光レベル及び調色状態（色温度）を制御する。
【００６７】
制御回路１５は、第１信号生成部１６が出力する第１制御信号に基づいて、交流電圧Ｖａの導通角に対応する調光レベルになるように、定電流回路１４１，１４２が出力する各負荷電流を制御する。
【００６８】
また、制御回路１５は、第２制御信号に基づいて調色状態を切り替える。制御回路１５は、調色状態を切り替える前後で調光レベルが変化しないように、定電流回路１４１，１４２が出力する各負荷電流を設定する。
【００６９】
第２制御信号は、上述のように、整流回路１２が出力する整流電圧を分圧した電圧である。そして、制御回路１５は、第２制御信号のゼロクロスを検出することによって、照明制御システム２による電力供給状態、電力遮断状態を判定できる。電力供給状態は、スイッチ２９１がオンして照明器具１へ交流電力が供給されている状態である。電力遮断状態は、スイッチ２９１がオフして照明器具１への交流電力の供給が遮断されている状態である。具体的に、制御回路１５は、第２制御信号のゼロクロスを検出できれば、電力供給状態であると判定し、第２制御信号のゼロクロスを検出できなければ、電力遮断状態であると判定する。また、制御回路１５は、第２制御信号のゼロクロスを一定時間に亘って検出できなければ、電力遮断状態であると判定してもよい。
【００７０】
スイッチ２９１のオン状態が継続している場合、制御回路１５の判定結果も電力供給状態を継続している。そして、制御回路１５は、電力供給状態であると判定しているときに、判定結果が電力供給状態から電力遮断状態に切り替わると計時動作を開始し、この計時時間を電力遮断時間の測定値Ｔｏとする。そして、制御回路１５は、電力遮断時間の測定値Ｔｏが予め決められた基準時間Ｔｓに達する前に電力遮断状態から電力供給状態に切り替わるか否かを監視する。すなわち、制御回路１５は、電力遮断時間の測定値Ｔｏが基準時間Ｔｓに達する前に照明制御システム２を介した電力供給が開始（再開）されたか否かを監視する。
【００７１】
なお、電力供給状態から電力遮断状態に切り替わった後、基準時間Ｔｓより長い時間が経過するまで、制御電源１８は、コンデンサなどの残留電荷によって制御電圧を出力することができる。この結果、制御回路１５は、上述の監視処理を行うことができる。
【００７２】
制御回路１５は、電力遮断時間の測定値Ｔｏが基準時間Ｔｓに達する前に電力遮断状態から電力供給状態に切り替われば、ユーザが調色操作を行ったと判定する。調色操作は、照明器具１の点灯中にユーザが点灯ボタン２ａをオフ操作した後に短時間でオン操作を行う操作である。そして、調色操作が行われると、オン状態のスイッチ２９１がオフした後に短時間で再びオンし、制御回路１５の判定結果が電力供給状態、電力遮断状態、電力供給状態の順に短時間で切り替わる。
【００７３】
制御回路１５は、調色操作が行われたと判定した場合、光源１ｂの調色状態を切り換える。例えば、制御回路１５は、調色操作が行われたと判定する毎に、光源１ｂの調色状態を電球色または昼光色に交互に切り換える。
【００７４】
また、制御回路１５は、電力遮断時間の測定値Ｔｏが基準時間Ｔｓに達する前に電力遮断状態から電力供給状態に切り替わらなければ、電力遮断状態になる前の調光状態を記憶する。そして、制御回路１５は、電力遮断時間の測定値Ｔｏが基準時間Ｔｓに達した後に照明制御システム２を介した電力供給が開始されて、判定結果が電力供給状態になると、電力遮断状態になる前の調光状態になるように光源１ｂを調光制御する。
【００７５】
上述のように、制御回路１５は、電力遮断時間の測定値Ｔｏが基準時間Ｔｓに達するまでに電力遮断状態から電力供給状態に切り替わるか否かを監視することで、ユーザによる調色操作の有無を判断する。
【００７６】
しかしながら、複数の照明器具１のそれぞれが有する電気回路の部品バラツキなどによって、複数の照明器具１のそれぞれが計時する電力遮断時間の測定値Ｔｏはばらついてしまう。また、複数の照明器具１のそれぞれが電力遮断時間の測定値Ｔｏと比較する基準時間Ｔｓもばらついてしまう。
【００７７】
この結果、上述の電力遮断時間の測定値Ｔｏが基準時間Ｔｓに近いときに電力供給が開始されると、電力遮断時間の測定値Ｔｏは基準時間Ｔｓ以上であると判断する照明器具１と、電力遮断時間の測定値Ｔｏは基準時間Ｔｓ未満であると判断する照明器具１とが混在する可能性がある。すなわち、複数の照明器具１には、調色状態を切り替えた照明器具１と、調色状態を切り替えていない照明器具１とが混在してしまう。
【００７８】
そこで、本実施形態の照明制御システム２は、以下の動作を行う。
【００７９】
照明制御システム２の制御回路２６は、操作検出部２６１と、電力制御部２６２とを備える。
【００８０】
操作検出部２６１は、周波数検出信号に基づいて、点灯ボタン２ａのオン操作及びオフ操作がユーザによって行われたことを検出する。具体的に、点灯ボタン２ａのオン操作によってスイッチ２９１がオン状態になると、周波数検出信号は、商用周波数の倍の周波数で変化する電圧信号になる。一方、点灯ボタン２ａのオフ操作によってスイッチ２９１がオフ状態になると、周波数検出信号は０Ｖになる。そこで、操作検出部２６１は、周波数検出信号の電圧値を閾値と比較することで、点灯ボタン２ａのオン操作及びオフ操作が行われたことを検出できる。なお、スイッチ２９１がオン状態からオフ状態に切り替わった後も、電源回路２５は、バッファコンデンサ２５７などの残留電荷によって動作電力を供給することができる。この結果、制御回路２６は、スイッチ２９１がオン状態からオフ状態に切り替わった後も暫くは動作することができる。
【００８１】
電力制御部２６２は、ユーザによる点灯ボタン２ａのオン操作及びオフ操作を、内部オン状態と内部オフ状態との切り替え指示として認識する。内部オン状態及び内部オフ状態とは、例えば制御回路２６が演算処理に用いるフラグレジスタの操作フラグの状態であり、操作フラグの値「１」が内部オン状態に対応し、操作フラグの値「０」が内部オフ状態に対応する。電力制御部２６２は、オフ操作が検出されると、操作フラグを内部オフ状態にし、オン操作が検出されると、操作フラグを内部オン状態にする。なお、操作フラグの値「０」が内部オン状態に対応し、操作フラグの値「１」が内部オフ状態に対応してもよい。
【００８２】
そして、電力制御部２６２は、操作フラグの状態（操作検出部２６１の検出結果）に基づいてトライアック２３１を駆動状態及び停止状態のいずれかに切り替える。トライアック２３１の駆動状態とは、電力制御部２６２がゲート駆動信号を出力して、サイリスタ２８１のオン位相角及びトライアック２３１のオン位相角が制御され、その結果、位相制御された交流電圧Ｖａが複数の照明器具１のそれぞれに印加されている状態である。一方、トライアック２３１の停止状態とは、電力制御部２６２がゲート駆動信号の出力を停止して、サイリスタ２８１及びトライアック２３１をオフ状態に維持し、その結果、複数の照明器具１のそれぞれに交流電圧Ｖａが印加されていない状態である。
【００８３】
図５−図８の各上段は操作フラグの状態を示し、図５−図８の各下段はトライアック２３１の状態を示す。
【００８４】
以下の説明では、内部オフ状態の開始タイミング（オフ操作の検出タイミング）をオフタイミングｔ０とする。電力制御部２６２は、オフタイミングｔ０から予め決められた閾値時間Ｔａが経過したタイミングを第１タイミングｔ１とする。また、第１タイミングｔ１から予め決められた強制遮断時間Ｔｂが経過したタイミングを第２タイミングｔ２とする。
【００８５】
図５では、オフタイミングｔ０から予め決められた閾値時間Ｔａが経過するまでの期間に、操作フラグが再び内部オン状態に切り替わっている。この場合、操作フラグが内部オフ状態になってから再び内部オン状態になるまでの時間である内部遮断時間はＴｉ１になる。すなわち、内部遮断時間Ｔｉ１は閾値時間Ｔａ未満である［Ｔｉ１＜Ｔａ］。
【００８６】
電力制御部２６２は、オフタイミングｔ０にゲート駆動信号の出力を停止して、トライアック２３１を駆動状態から停止状態に切り換える。そして、電力制御部２６２は、内部遮断時間Ｔｉ１が閾値時間Ｔａ未満であるので、操作フラグが内部オフ状態から再び内部オン状態に切り替わるとゲート駆動信号の出力を開始して、トライアック２３１を停止状態から駆動状態に切り換える。なお、電力制御部２６２がゲート駆動信号の出力を停止してから、トライアック２３１が実際に停止状態になるまでに時間遅れが生じる。また、電力制御部２６２がゲート駆動信号の出力を開始してから、トライアック２３１が実際に駆動状態になるまでに時間遅れが生じる。
【００８７】
この場合、トライアック２３１が停止状態になってから再び駆動状態になるまでの時間が電力遮断時間Ｔｏ１であり、電力遮断時間Ｔｏ１は内部遮断時間Ｔｉ１に等しくなる［Ｔｏ１＝Ｔｉ１］。そして、上述の電力遮断時間の測定値Ｔｏは、電力遮断時間Ｔｏ１を測定した値である。
【００８８】
次に、図６では、オフタイミングｔ０から閾値時間Ｔａが経過した第１タイミングｔ１に、操作フラグが再び内部オン状態に切り替わっている。この場合、操作フラグが内部オフ状態になってから再び内部オン状態になるまでの時間である内部遮断時間はＴｉ２になる。すなわち、内部遮断時間Ｔｉ２は閾値時間Ｔａに等しい［Ｔｉ２＝Ｔａ］。
【００８９】
電力制御部２６２は、オフタイミングｔ０にゲート駆動信号の出力を停止して、トライアック２３１を駆動状態から停止状態に切り換える。そして、電力制御部２６２は、第１タイミングｔ１において操作フラグが内部オフ状態から再び内部オン状態に切り替わっても、内部遮断時間Ｔｉ２が閾値時間Ｔａに等しいので、すぐにゲート駆動信号の出力を開始しない。電力制御部２６２は、第１タイミングｔ１から強制遮断時間Ｔｂが経過した第２タイミングｔ２にゲート駆動信号の出力を開始して、トライアック２３１を停止状態から駆動状態に切り換える。
【００９０】
この場合、トライアック２３１が停止状態になってから再び駆動状態になるまでの時間が電力遮断時間Ｔｏ２であり、電力遮断時間Ｔｏ２は、閾値時間Ｔａと強制遮断時間Ｔｂとの和になる［Ｔｏ２＝Ｔａ＋Ｔｂ］。そして、上述の電力遮断時間の測定値Ｔｏは、電力遮断時間Ｔｏ２を測定した値である。
【００９１】
次に、図７では、第１タイミングｔ１から第２タイミングｔ２までの期間に、操作フラグが再び内部オン状態に切り替わっている。この場合、操作フラグが内部オフ状態になってから再び内部オン状態になるまでの時間である内部遮断時間はＴｉ３になる。すなわち、内部遮断時間Ｔｉ３は閾値時間Ｔａより長く、閾値時間Ｔａと強制遮断時間Ｔｂとの和より短い［Ｔａ＜Ｔｉ３＜Ｔａ＋Ｔｂ］。
【００９２】
電力制御部２６２は、オフタイミングｔ０にゲート駆動信号の出力を停止して、トライアック２３１を駆動状態から停止状態に切り換える。そして、電力制御部２６２は、第１タイミングｔ１以降に操作フラグが内部オフ状態から再び内部オン状態に切り替わっても、内部遮断時間Ｔｉ３が閾値時間Ｔａより長く、閾値時間Ｔａと強制遮断時間Ｔｂとの和より短いので、すぐにゲート駆動信号の出力を開始しない。電力制御部２６２は、第２タイミングｔ２から加算時間Ｔｃが経過したタイミングを第３タイミングｔ３とし、この第３タイミングｔ３にゲート駆動信号の出力を開始して、トライアック２３１を停止状態から駆動状態に切り換える。
【００９３】
この場合、トライアック２３１が停止状態になってから再び駆動状態になるまでの時間が電力遮断時間Ｔｏ３であり、電力遮断時間Ｔｏ３は、閾値時間Ｔａと強制遮断時間Ｔｂとの和より長くなる［Ｔｏ３＞Ｔａ＋Ｔｂ］。
【００９４】
次に、図８では、第２タイミングｔ２以降に操作フラグが再び内部オン状態に切り替わっている。この場合、操作フラグが内部オフ状態になってから再び内部オン状態になるまでの時間である内部遮断時間はＴｉ４になる。すなわち、内部遮断時間Ｔｉ４は、閾値時間Ｔａと強制遮断時間Ｔｂとの和以上である［Ｔｉ４≧Ｔａ＋Ｔｂ］。
【００９５】
電力制御部２６２は、オフタイミングｔ０にゲート駆動信号の出力を停止して、トライアック２３１を駆動状態から停止状態に切り換える。そして、電力制御部２６２は、内部遮断時間Ｔｉ４が閾値時間Ｔａと強制遮断時間Ｔｂとの和以上であるので、操作フラグが内部オフ状態から再び内部オン状態に切り替わるとゲート駆動信号の出力を開始して、トライアック２３１を停止状態から駆動状態に切り換える。
【００９６】
この場合、トライアック２３１が停止状態になってから再び駆動状態になるまでの時間が電力遮断時間Ｔｏ４であり、電力遮断時間Ｔｏ４は、閾値時間Ｔａと強制遮断時間Ｔｂとの和より長くなる［Ｔｏ４＞Ｔａ＋Ｔｂ］。
【００９７】
そして、上述の電力遮断時間の測定値Ｔｏは、電力遮断時間Ｔｏ１またはＴｏ２またはＴｏ３またはＴｏ４を測定した値である。
【００９８】
上述の図５−図８に示すように、照明制御システム２では、電力遮断時間がＴａ以上、Ｔａ＋Ｔｂ未満の範囲内の値になることがない。すなわち、照明制御システム２では、電力遮断時間がＴａ未満またはＴａ＋Ｔｂ以上になる。
【００９９】
ここで、照明制御システム２が用いる閾値時間Ｔａ及び強制遮断時間Ｔｂと、照明器具１における電力遮断時間の測定値Ｔｏ及び基準時間Ｔｓとは、図９に示す関係になる。
【０１００】
複数の点灯装置１ａにおける電力遮断時間の測定値Ｔｏのバラツキに対応する補正時間を第１補正時間αとする。複数の点灯装置１ａにおける基準時間Ｔｓのバラツキに対応する補正時間を第２補正時間βとする。この場合、閾値時間Ｔａに第１補正時間αを加算した値［Ｔａ＋α］が、基準時間Ｔｓから第２補正時間βを減算した値［Ｔｓ−β］より小さくなる。また、閾値時間Ｔａと強制遮断時間Ｔｂとの加算値から第１補正時間αを減算した値［Ｔａ＋Ｔｂ−α］が、基準時間Ｔｓに第２補正時間βを加算した値［Ｔｓ＋β］より大きくなる。
【０１０１】
したがって、点灯装置１ａの制御回路１５は、上述のように照明制御システム２によって電力遮断時間がＴａ未満またはＴａ＋Ｔｂ以上に制御された場合、電力遮断時間の測定値Ｔｏは、図９の範囲Ｔｍ１または範囲Ｔｍ２に収まる。また、基準時間Ｔｓは、図９の範囲Ｔｎ１に収まる。範囲Ｔｍ１はＴａ＋α以下の範囲であり、範囲Ｔｍ２はＴａ＋Ｔｂ−α以上の範囲であり、範囲Ｔｎ１はＴｓ±βの範囲であり、範囲Ｔｎ１は、範囲Ｔｍ１，Ｔｍ２のいずれにも重なっていない。
【０１０２】
この結果、複数の照明器具１のそれぞれにおける電力遮断時間の測定値Ｔｏ及び基準時間Ｔｓのバラツキがあっても、電力遮断時間の測定値Ｔｏが基準時間Ｔｓ以上であるか否かの判断結果は、複数の照明器具１で同じになる。したがって、ユーザが調色操作を行った場合、調色状態を切り替えた照明器具１と、調色状態を切り替えていない照明器具１とが混在することを抑制できる。すなわち、点灯ボタン２ａの操作によって複数の照明器具１を同じ調色状態に制御することができる。
【０１０３】
また、照明器具１の点灯中にユーザが点灯ボタン２ａをオフ操作した後に短時間でオン操作を行う操作は、上述の調色操作以外であってもよい。例えば、照明器具１の点灯中にユーザが点灯ボタン２ａをオフ操作した後に短時間でオン操作を行う操作は、照明器具１の調光レベルを段階的に切り換える段調光操作、フェード時間を段階的に切り換えるフェード切換操作のいずれであってもよい。あるいは、点灯させる光源モジュールを切り替える（通常の照明灯と常夜灯との切換など）モジュール切換操作であってもよい。この場合も、点灯ボタン２ａの操作によって複数の照明器具１を同じ点灯状態に制御することができる。
【０１０４】
上述の実施形態では、全ての照明器具１の点灯装置１ａが、第１制御信号の導通角情報及び第２制御信号の電力遮断時間情報に基づいて、調光レベル及び調色状態の両方を制御する。しかし、複数の照明器具１の一部のみ（少なくとも２台）で、点灯装置１ａが、第１制御信号及び第２制御信号に基づいて調光レベル及び調色状態の両方を制御する構成であってもよい。この場合、他の照明器具１の点灯装置１ａは、第１制御信号に基づいて調光レベルを制御し、調色状態の制御は行わない。また、他の照明器具１の点灯装置は、上述の点灯装置１ａの構成において第２信号生成部１７を備えていなくてもよい。
【０１０５】
例えば、複数の照明器具１が住宅のダイニングに設置されており、一部の照明器具１はペンダントライトであり、他の照明器具１はシーリングライトであるとする。ペンダントライトは、調光及び調色が可能であり、ダイニングテーブル上に光を照射する。シーリングライトは、調光のみが可能であり、一定の色温度の光をダイニング内に均等に照射する。この場合、ペンダントライトの点灯装置は、第１制御信号及び第２制御信号に基づいて調光レベル及び調色状態の両方を制御し、シーリングライトの点灯装置は、第１制御信号に基づいて調光レベルを制御し、調色状態の制御は行わない。
【０１０６】
上述のように、全ての照明器具１が第１制御信号及び第２制御信号に基づいて調光レベル及び調色状態の両方を制御することは必須ではない。複数の照明器具１には、第１制御信号及び第２制御信号に基づいて調光レベル及び調色状態の両方を制御する２つ以上の照明器具１と、第１制御信号に基づいて調光レベルを制御し、調色状態の制御を行わない他の照明器具１とが混在していてもよい。
【０１０７】
上述の実施形態における制御回路１５，２６は、コンピュータシステムをそれぞれ含んでいてもよい。この場合、コンピュータシステムは、ハードウェアとしてのプロセッサ及びメモリを主構成とする。コンピュータシステムのメモリに記録されたプログラムをプロセッサが実行することによって、本開示における制御回路１５，２６の各機能が実現される。プログラムは、コンピュータシステムのメモリに予め記録されていてもよいが、電気通信回線を通じて提供されてもよいし、コンピュータシステムで読み取り可能なメモリカード、光学ディスク、ハードディスクドライブ等の非一時的記録媒体に記録されて提供されてもよい。コンピュータシステムのプロセッサは、半導体集積回路（ＩＣ）又は大規模集積回路（ＬＳＩ）を含む１乃至複数の電子回路で構成される。複数の電子回路は、１つのチップに集約されていてもよいし、複数のチップに分散して設けられていてもよい。複数のチップは、１つの装置に集約されていてもよいし、複数の装置に分散して設けられていてもよい。
【０１０８】
上述の制御回路２６が実行するプログラムは、図１０のフローチャートに示す各ステップを備える。
【０１０９】
まず、制御回路２６が、点灯ボタン２ａに対してユーザのオン操作及びオフ操作が行われたことを検出する（操作検出ステップＳ１）。そして、制御回路２６は、操作検出ステップＳ１の検出結果に基づいて、ゲート駆動信号を出力して、サイリスタ２８１のオン位相角及びトライアック２３１のオン位相角を調整して、複数の点灯装置１ａへの電力の供給を制御する（電力制御ステップＳ２）。
【０１１０】
そして、電力制御ステップＳ２では、制御回路２６は、オフ操作が検出されると複数の点灯装置１ａへの電力の供給を停止する。また、制御回路２６は、オフ操作が検出されてから第１タイミングｔ１まで、または第２タイミングｔ２以降にオン操作が検出されると、複数の点灯装置１ａへの電力の供給を開始する。また、制御回路２６は、第１タイミングｔ１と第２タイミングｔ２との間にオン操作が検出されると、第２タイミングｔ２以降に複数の点灯装置１ａへの電力の供給を開始する。
【０１１１】
また、制御回路１５，２６は、コンピュータシステムに限らず、例えば、ＡＳＩＣ（Application Specific Integrated Circuit）、ＦＰＧＡ（Field Programmable Gate Array）、制御用ＩＣ（Integrated Circuit）などであってもよい。
【０１１２】
光源１ｂが有する複数の固体発光素子の各々は、ＬＥＤに限らず、有機ＥＬ（Organic ElectroLuminescence、OEL）、または無機ＥＬなどの他の固体発光素子であってもよい。また、光源モジュール１０１，１０２がそれぞれ有する固体発光素子の数は、複数に限らず、１つであってもよい。複数の固体発光素子の電気的な接続関係は、直列接続、並列接続、または直列接続と並列接続とを組み合わせた接続関係のいずれであってもよい。
【０１１３】
以上のように、実施形態に係る第１の態様の照明制御システム２は、複数の光源１ｂの点灯状態をそれぞれ調整する複数の点灯装置１ａへの電力供給を制御するための照明制御システムである。照明制御システム２は、操作検出部２６１と、電力制御部２６２と、を備える。操作検出部２６１は、複数の点灯装置１ａに電力を供給するためのオン操作及び複数の点灯装置１ａへの電力供給を遮断するためのオフ操作が行われたことを検出する。電力制御部２６２は、操作検出部２６１の検出結果に基づいて、複数の点灯装置１ａへの電力の供給を制御する。そして、電力制御部２６２は、オフ操作が検出されてから予め決められた閾値時間Ｔａが経過したタイミングを第１タイミングｔ１とし、第１タイミングｔ１から予め決められた強制遮断時間Ｔｂが経過したタイミングを第２タイミングｔ２とする。電力制御部２６２は、オフ操作が検出されると、複数の点灯装置１ａへの電力の供給を停止する。電力制御部２６２は、オフ操作が検出されてから第１タイミングｔ１まで、または第２タイミングｔ２以降にオン操作が検出されると、複数の点灯装置１ａへの電力の供給を開始する。電力制御部２６２は、第１タイミングｔ１と第２タイミングｔ２との間にオン操作が検出されると、第２タイミングｔ２以降に複数の点灯装置１ａへの電力の供給を開始する。
【０１１４】
したがって、照明制御システム２は、点灯ボタン２ａ（操作部）の操作によって複数の照明器具１を同じ状態に制御することができる。
【０１１５】
また、実施形態に係る第２の態様の照明制御システム２では、第１の態様において、複数の点灯装置１ａのうち少なくとも２つの点灯装置１ａは、電力の供給が停止されてからの経過時間である電力遮断時間をそれぞれ測定する。少なくとも２つの点灯装置１ａは、電力遮断時間の測定値Ｔｏが予め決められた基準時間Ｔｓに達する前に電力の供給が開始されれば、電力の供給が開始されたときの点灯状態を、電力の供給が停止される前の点灯状態から変化させるようにそれぞれ調整する。少なくとも２つの点灯装置１ａは、電力遮断時間の測定値Ｔｏが基準時間Ｔｓに達した後に電力の供給が開始されれば、電力の供給が開始されたときの点灯状態を、電力の供給が停止される前の点灯状態と同じになるようにそれぞれ調整している。そして、電力制御部２６２における閾値時間Ｔａ及び強制遮断時間Ｔｂは、以下のようにそれぞれ設定される。少なくとも２つの点灯装置１ａのそれぞれによる電力遮断時間の測定値Ｔｏのバラツキに対応する第１補正時間αを閾値時間Ｔａに加算した値が、少なくとも２つの点灯装置１ａのそれぞれにおける基準時間Ｔｓのバラツキに対応する第２補正時間βを基準時間Ｔｓから減算した値より小さい。さらに、閾値時間Ｔａと強制遮断時間Ｔｂとの加算値から第１補正時間αを減算した値が、基準時間Ｔｓに第２補正時間βを加算した値より大きくなる。
【０１１６】
したがって、複数の照明器具１のそれぞれにおける電力遮断時間の測定値Ｔｏ及び基準時間Ｔｓのバラツキがあっても、電力遮断時間の測定値Ｔｏが基準時間Ｔｓ以上であるか否かの判断結果は、複数の照明器具１で同じになる。したがって、照明制御システム２は、ユーザが点灯ボタン２ａの操作を行った場合、点灯状態を切り替えた照明器具１と、点灯状態を切り替えていない照明器具１とが混在することを抑制できる。
【０１１７】
また、実施形態に係る第３の態様の照明制御システム２では、第１または第２の態様において、電力制御部２６２は、電力の電圧の波形を変化させることによって、複数の点灯装置１ａに点灯状態に関する制御内容を指示することが好ましい。
【０１１８】
したがって、照明制御システム２は、点灯装置１ａへ制御内容を指示するために、制御信号伝送用の配線を新たに敷設する必要がなく、さらに高コストの無線通信機器を追加する必要もない。
【０１１９】
また、実施形態に係る第４の態様の照明制御システム２では、第３の態様において、電力は交流電力であり、複数の点灯装置１ａは、電力の交流電圧Ｖａの導通角に基づいて光源１ｂの点灯状態を調整する。そして、電力制御部２６２は、導通角を制御内容に対応する値に制御することが好ましい。
【０１２０】
したがって、照明制御システム２は、交流電圧Ｖａの位相制御によって、点灯装置１ａへ制御内容を指示することができる。
【０１２１】
また、実施形態に係る第５の態様の照明制御システム２では、第４の態様において、複数の点灯装置１ａへ電力を供給する電路に設けられたトライアック２３１（スイッチ素子）をさらに備えることが好ましい。そして、電力制御部２６２は、トライアック２３１をオンオフすることで導通角を制御する。
【０１２２】
したがって、照明制御システム２は、交流電圧Ｖａの位相制御を容易に行うことができる。
【０１２３】
上述の実施形態に係る第６の態様の点灯システムＢ１は、第１乃至第５の態様のいずれか一つの照明制御システム２と、複数の光源１ｂの点灯状態をそれぞれ調整する複数の点灯装置１ａと、を備える。
【０１２４】
したがって、点灯システムＢ１は、点灯ボタン２ａ（操作部）の操作によって複数の照明器具１を同じ状態に制御することができる。
【０１２５】
上述の実施形態に係る第７の態様の点灯システムＢ１は、第１の態様の照明制御システム２と、複数の光源１ｂの点灯状態をそれぞれ調整する複数の点灯装置１ａと、を備える。複数の点灯装置１ａのうち少なくとも２つの点灯装置は、電力の供給が停止されてからの経過時間である電力遮断時間を測定する。少なくとも２つの点灯装置１ａは、電力遮断時間の測定値Ｔｏが予め決められた基準時間Ｔｓに達する前に電力の供給が開始されれば、電力の供給が開始されたときの点灯状態を、電力の供給が停止される前の点灯状態から変化させるように調整する。少なくとも２つの点灯装置１ａは、電力遮断時間の測定値Ｔｏが基準時間Ｔｓに達した後に電力の供給が開始されれば、電力の供給が開始されたときの点灯状態を、電力の供給が停止される前の点灯状態と同じになるように調整している。そして、電力制御部２６２における閾値時間Ｔａ及び強制遮断時間Ｔｂは、以下のようにそれぞれ設定される。少なくとも２つの点灯装置１ａのそれぞれによる電力遮断時間の測定値Ｔｏのバラツキに対応する第１補正時間αを閾値時間Ｔａに加算した値が、少なくとも２つの点灯装置１ａのそれぞれにおける基準時間Ｔｓのバラツキに対応する第２補正時間βを基準時間Ｔｓから減算した値より小さい。さらに、閾値時間Ｔａと強制遮断時間Ｔｂとの加算値から第１補正時間αを減算した値が、基準時間Ｔｓに第２補正時間βを加算した値より大きくなる。
【０１２６】
したがって、複数の照明器具１のそれぞれにおける電力遮断時間の測定値Ｔｏ及び基準時間Ｔｓのバラツキがあっても、電力遮断時間の測定値Ｔｏが基準時間Ｔｓ以上であるか否かの判断結果は、複数の照明器具１で同じになる。したがって、点灯システムＢ１は、ユーザが点灯ボタン２ａの操作を行った場合、点灯状態を切り替えた照明器具１と、点灯状態を切り替えていない照明器具１とが混在することを抑制できる。
【０１２７】
上述の実施形態に係る第８の態様の照明システムＡ１は、第６または第７の態様の点灯システムＢ１と、複数の光源１ｂと、を備える。
【０１２８】
したがって、照明システムＡ１は、点灯ボタン２ａ（操作部）の操作によって複数の照明器具１を同じ状態に制御することができる。
【０１２９】
上述の実施形態に係る第９の態様のプログラムは、コンピュータシステムに、操作検出ステップＳ１と、電力制御ステップＳ２と、を実行させる。操作検出ステップＳ１は、複数の光源１ｂの点灯状態をそれぞれ調整する複数の点灯装置１ａに電力を供給するためのオン操作、及び複数の点灯装置１ａへの電力供給を遮断するためのオフ操作が行われたことを検出する。電力制御ステップＳ２は、操作検出ステップＳ１の検出結果に基づいて、複数の点灯装置１ａへの電力の供給を制御する。そして、電力制御ステップＳ２は、オフ操作が検出されてから予め決められた閾値時間Ｔａが経過したタイミングを第１タイミングｔ１とし、第１タイミングｔ１から予め決められた強制遮断時間Ｔｂが経過したタイミングを第２タイミングｔ２とする。電力制御ステップＳ２は、オフ操作が検出されると、複数の点灯装置１ａへの電力の供給を停止する。電力制御ステップＳ２は、オフ操作が検出されてから第１タイミングｔ１まで、または第２タイミングｔ２以降にオン操作が検出されると、複数の点灯装置１ａへの電力の供給を開始する。電力制御ステップＳ２は、第１タイミングｔ１と第２タイミングｔ２との間にオン操作が検出されると、第２タイミングｔ２以降に複数の点灯装置１ａへの電力の供給を開始する。
【０１３０】
したがって、プログラムは、点灯ボタン２ａ（操作部）の操作によって複数の照明器具１を同じ状態に制御することができる。
【０１３１】
また、上述の実施形態および変形例は一例である。このため、本発明は、上述の実施形態および変形例に限定されることはなく、この実施形態および変形例以外であっても、本発明に係る技術的思想を逸脱しない範囲であれば、設計等に応じて種々の変更が可能であることは勿論である。
【符号の説明】
【０１３２】
１  照明器具
１ａ  点灯装置
１ｂ  光源
２  照明制御システム
２ａ  点灯ボタン（操作部）
２３１  トライアック（スイッチ素子）
２６１  操作検出部
２６２  電力制御部
Ｔａ  閾値時間
Ｔｂ  強制遮断時間
Ｔｓ  基準時間
Ｔｏ  電力遮断時間の測定値
ｔ１  第１タイミング
ｔ２  第２タイミング
α  第１補正時間
β  第２補正時間
Ｖａ  交流電圧
Ａ１  照明システム
Ｂ１  点灯システム
【図１】
2019061802.tif 000003
【図２】
2019061802.tif 000004
【図３】
2019061802.tif 000005
【図４】
2019061802.tif 000006
【図５】
2019061802.tif 000007
【図６】
2019061802.tif 000008
【図７】
2019061802.tif 000009
【図８】
2019061802.tif 000010
【図９】
2019061802.tif 000011
【図１０】
2019061802.tif 000012